(57)【要約】【課題】ディスプレイ装置を提供する。【解決手段】第１画素領域及び第２画素領域を含む画素領域と、非画素領域を具備した基板と、第１画素領域及び第２画素領域それぞれに対応する第１画素電極及び第２画素電極と、画素領域と対応する開口を具備した画素画成膜と、第１画素電極及び第２画素電極の上にそれぞれ配置され、相互離隔され、それぞれ発光層を含む第１中間層及び第２中間層と、第１中間層及び第２中間層の上にそれぞれ配置され、相互離隔された第１対向電極及び第２対向電極と、非画素領域と対応し、第１対向電極及び第２対向電極と一部重畳し、第１対向電極及び第２対向電極と接触する配線層と、を含むディスプレイ装置である。【選択図】図３
2018081916.tif 000002
【特許請求の範囲】
【請求項１】
第１画素領域及び第２画素領域を含む画素領域と、非画素領域とを具備した基板と、
前記第１画素領域及び前記第２画素領域にそれぞれ対応する第１画素電極及び第２画素電極と、
前記画素領域に対応する開口を具備した画素画成膜と、
前記第１画素電極及び前記第２画素電極の上にそれぞれ配置され、互いに離隔され、それぞれ発光層を含む第１中間層及び第２中間層と、
前記第１中間層及び前記第２中間層の上にそれぞれ配置され、互いに離隔された第１対向電極及び第２対向電極と、
前記非画素領域と対応し、前記第１対向電極及び前記第２対向電極と一部重なり、前記第１対向電極及び前記第２対向電極と接触する配線層と、を含むディスプレイ装置。
【請求項２】
前記配線層は、前記画素画成膜上に配置されたことを特徴とする請求項１に記載のディスプレイ装置。
【請求項３】
前記配線層の一部は、前記第１対向電極及び前記第２対向電極の下で、前記第１対向電極及び前記第２対向電極と接触することを特徴とする請求項２に記載のディスプレイ装置。
【請求項４】
前記配線層は、前記第１画素電極及び前記第２画素電極とエッチング選択比が異なる材料を含むことを特徴とする請求項２に記載のディスプレイ装置。
【請求項５】
前記配線層は、
互いに重ね合わされた第１金属層及び第２金属層と、
前記第１金属層と前記第２金属層との間の透光層と、を含むことを特徴とする請求項２に記載のディスプレイ装置。
【請求項６】
前記第１対向電極上及び前記第２対向電極上の、第１パッシベーション層及び第２パッシベーション層をさらに含むことを特徴とする請求項１に記載のディスプレイ装置。
【請求項７】
前記第１パッシベーション層の幅は、前記第１対向電極の幅より広く、
前記第２パッシベーション層の幅は、前記第２対向電極の幅より広いことを特徴とする請求項６に記載のディスプレイ装置。
【請求項８】
前記第１パッシベーション層及び前記第２パッシベーション層は、無機絶縁物を含むことを特徴とする請求項６に記載のディスプレイ装置。
【請求項９】
前記配線層の一部は、前記第１パッシベーション層及び第２パッシベーション層の上に配置され、前記配線層は、前記第１パッシベーション層及び第２パッシベーション層のそれぞれに画成されたコンタクトホールを通じて、前記第１対向電極及び前記第２対向電極と接触することを特徴とする請求項６に記載のディスプレイ装置。
【請求項１０】
前記配線層は、前記第１画素電極及び前記第２画素電極と同一の材料を含むことを特徴とする請求項１に記載のディスプレイ装置。
【請求項１１】
前記配線層は、前記画素画成膜の下に配置され、前記画素画成膜は、前記配線層を露出させる追加の開口を含むことを特徴とする請求項１に記載のディスプレイ装置。
【請求項１２】
前記第１対向電極の端部及び前記第２対向電極の端部は、いずれも、前記配線層へと向かって延長され、前記配線層と接触することを特徴とする請求項１１に記載のディスプレイ装置。
【請求項１３】
前記第１対向電極の幅は、前記第１中間層の幅より広く、
前記第２対向電極の幅は、前記第２中間層の幅より広いことを特徴とする請求項１に記載のディスプレイ装置。
【請求項１４】
前記第１中間層及び前記第２中間層のうちの少なくともいずれか一層は、
発光層の下または上に配置される機能層をさらに含むことを特徴とする請求項１に記載のディスプレイ装置。
【請求項１５】
前記機能層は、ホール輸送層、ホール注入層、電子注入層及び電子輸送層のうちのいずれか一つの層を含むことを特徴とする請求項１４に記載のディスプレイ装置。
【発明の詳細な説明】
【技術分野】
【０００１】
本発明は、ディスプレイ装置に関する。
【背景技術】
【０００２】
有機発光表示装置は、画素それぞれが有機発光素子を具備するディスプレイ装置である。該有機発光素子は、画素電極と、それに対向する対向電極と、画素電極と対向電極との間に介在される発光層と、を含む。
【０００３】
フルカラー（full color）を具現する有機発光表示装置の場合、画素領域ごとに互いに異なる色の光が放出されるのであり、各画素の発光層と、複数の画素にわたって一体に形成される対向電極とは、蒸着マスクを利用して形成される。該有機発光表示装置がだんだんと高解像度化されるにつれ、蒸着工程時に使用されるマスクにおけるオープンスリット（open slit）の幅がだんだんと狭まっており、そのばらつき（variation）も、だんだんと、さらに低減することが要求されている。また、高解像度の有機発光表示装置を製作するためには、シャドー現象（shadow effect）を減らしたりなくしたりすることが必要である。それに伴い、基板とマスクとを密着させた状態で、蒸着工程を進める方法が使用されうる。
【０００４】
しかし、基板とマスクとを密着させた状態で蒸着工程を進める場合、マスクによるチョッピング現象が発生するという問題がある。それを防止するために、画素同士を区切る画素画成膜（「バンク」）上に、スペーサを配置する方策があるが、そのためには、工程がさらに追加されるという問題があり、スペーサによって、有機発光表示装置の厚みが厚くなるという問題がある。また、対向電極が、複数の画素にわたって一体に形成されることにより、対向電極の抵抗によるＩＲドロップ（ＩＲ降下または電圧降下IR or voltage drop）、及びそれによる輝度偏差の発生の問題がある。
【発明の概要】
【発明が解決しようとする課題】
【０００５】
本発明は、前述のような問題点を含む多くの問題点を解決するためのものであり、画素ごとにパターニングされた対向電極を有し、該対向電極に共通電圧を提供する電源層との電気的連結を容易にした有機発光表示装置を開示する。しかし、かような課題は、例示的なものであり、それによって、本発明の範囲が限定されるものではない。
【課題を解決するための手段】
【０００６】
本発明の一実施形態は、第１画素領域及び第２画素領域を含む画素領域と、非画素領域とを具備した基板；前記第１画素領域及び前記第２画素領域のそれぞれに対応する第１画素電極及び第２画素電極；前記画素領域に対応する開口を具備した画素画成膜；前記第１画素電極及び前記第２画素電極の上にそれぞれ配置され、互いに離隔され、それぞれ発光層を含む第１中間層及び第２中間層；前記第１中間層及び前記第２中間層の上にそれぞれ配置され、互いに離隔された第１対向電極及び第２対向電極；並びに、前記非画素領域に対応し、前記第１対向電極及び前記第２対向電極と一部重ね合わされ、前記第１対向電極及び前記第２対向電極と接触する配線層；を含む、ディスプレイ装置を開示する。
【０００７】
本実施形態において、前記配線層は、前記画素画成膜上に配置されてもよい。
【０００８】
本実施形態において、前記配線層の一部は、前記第１対向電極及び前記第２対向電極の下で、前記第１対向電極及び前記第２対向電極と接触しうる。
【０００９】
本実施形態において、前記配線層は、前記第１画素電極及び前記第２画素電極とエッチング選択比が異なる材料を含んでもよい。
【００１０】
本実施形態において、前記配線層は、互いに重ね合わされた第１金属層及び第２金属層；並びに前記第１金属層と前記第２金属層との間の透光層；を含んでもよい。
【００１１】
本実施形態において、前記第１対向電極上及び前記第２対向電極上の第１パッシベーション層及び第２パッシベーション層をさらに含んでもよい。
【００１２】
本実施形態において、前記第１パッシベーション層の幅は、前記第１対向電極の幅より広く、前記第２パッシベーション層の幅は、前記第２対向電極の幅より広いというのでありうる。
【００１３】
本実施形態において、前記第１パッシベーション層及び前記第２パッシベーション層は、無機絶縁物を含んでもよい。
【００１４】
本実施形態において、前記配線層の一部は、前記第１パッシベーション層及び第２パッシベーション層の上に配置され、前記配線層は、前記第１パッシベーション層及び第２パッシベーション層のそれぞれに画成されたコンタクトホールを介して、前記第１対向電極及び前記第２対向電極と接触するというのでありうる。
【００１５】
本実施形態において、前記配線層は、前記第１画素電極及び前記第２画素電極と同一の材料を含んでもよい。
【００１６】
本実施形態において、前記配線層は、前記画素画成膜の下に配置され、前記画素画成膜は、前記配線層を露出させる追加の開口を含んでもよい。
【００１７】
本実施形態において、前記第１対向電極の端部及び前記第２対向電極の端部は、いずれも、前記配線層に向かって延び、前記配線層と接触するのでありうる。
【００１８】
本実施形態において、前記第１対向電極の幅は、前記第１中間層の幅より広く、前記第２対向電極の幅は、前記第２中間層の幅より広いというのでもよい。
【００１９】
本実施形態において、前記第１中間層及び前記第２中間層のうち、少なくともいずれか一層は、発光層の下または上に配置される機能層を、さらに含んでもよい。
【００２０】
本実施形態において、前記機能層は、ホール輸送層、ホール注入層、電子注入層及び電子輸送層のうちの、いずれか一層を含んでもよい。
【００２１】
前述した以外の他の側面、特徴、利点は、以下の図面、特許請求の範囲、及び発明の詳細な説明から明確になるであろう。
【発明の効果】
【００２２】
本発明は、ＩＲドロップを低減させ、輝度偏差の発生を抑制することができ、電源配線間の電気的連結を容易に行うことができ、マスクによるチョッピング現象、及びそれによるディスプレイ装置の表示品質の低下を防止することができる。ただ、このような効果によって、本発明の範囲が限定されるものではないということは言うまでもない。
【図面の簡単な説明】
【００２３】
【図１】本発明の一実施形態によるディスプレイ装置を概略的に示した平面図である。
【図２Ａ】本発明の実施形態による画素の等価回路図（１）である。
【図２Ｂ】本発明の実施形態による画素の等価回路図（２）である。
【図３】本発明の一実施形態によるディスプレイ装置の断面図である。
【図４】図３の「ＩＶ」の部分の拡大断面図である。
【図５】図３のディスプレイ装置を、図３の「Ｋ」方向から見た平面図である。
【図６】図５の変形例である。
【図７Ａ】本発明の実施形態によるディスプレイ装置における回路素子層の断面図（１）である。
【図７Ｂ】本発明の実施形態によるディスプレイ装置における回路素子層の断面図（２）である。
【図８Ａ】本発明の一実施形態によるディスプレイ装置の製造工程(1)にのっとった断面図である。
【図８Ｂ】本発明の一実施形態によるディスプレイ装置の製造工程(2)にのっとった断面図である。
【図８Ｃ】本発明の一実施形態によるディスプレイ装置の製造工程(3)にのっとった断面図である。
【図８Ｄ】本発明の一実施形態によるディスプレイ装置の製造工程(4)にのっとった断面図である。
【図８Ｅ】本発明の一実施形態によるディスプレイ装置の製造工程(5)にのっとった断面図である。
【図８Ｆ】本発明の一実施形態によるディスプレイ装置の製造工程(6)にのっとった断面図である。
【図８Ｇ】本発明の一実施形態によるディスプレイ装置の製造工程(7)にのっとった断面図である。
【図８Ｈ】本発明の一実施形態によるディスプレイ装置の製造工程(8)にのっとった断面図である。
【図９】本発明の他の実施形態（１）によるディスプレイ装置の断面図である。
【図１０】本発明の他の実施形態（２）によるディスプレイ装置の断面図である。
【図１１】図１０のディスプレイ装置を、図１０の「Ｋ」方向から見た平面図である。
【図１２】図１１の変形例である。
【図１３Ａ】本発明の他の実施形態（２）によるディスプレイ装置の製造工程(1)にのっとった断面図である。
【図１３Ｂ】本発明の他の実施形態（２）によるディスプレイ装置の製造工程(2)にのっとった断面図である。
【図１３Ｃ】本発明の他の実施形態（２）によるディスプレイ装置の製造工程(3)にのっとった断面図である。
【図１３Ｄ】本発明の他の実施形態（２）によるディスプレイ装置の製造工程(4)にのっとった断面図である。
【図１３Ｅ】本発明の他の実施形態（２）によるディスプレイ装置の製造工程(5)にのっとった断面図である。
【図１３Ｆ】本発明の他の実施形態（２）によるディスプレイ装置の製造工程(6)にのっとった断面図である。
【図１４】本発明の他の実施形態（３）によるディスプレイ装置の断面図である。
【図１５Ａ】本発明の他の実施形態（３）によるディスプレイ装置の製造工程(1)にのっとった断面図である。
【図１５Ｂ】本発明の他の実施形態（３）によるディスプレイ装置の製造工程(2)にのっとった断面図である。
【図１５Ｃ】本発明の他の実施形態（３）によるディスプレイ装置の製造工程(3)にのっとった断面図である。
【図１５Ｄ】本発明の他の実施形態（３）によるディスプレイ装置の製造工程(4)にのっとった断面図である。
【図１５Ｅ】本発明の他の実施形態（３）によるディスプレイ装置の製造工程(5)にのっとった断面図である。
【図１６】図１５Ｅの変形例に該当する、本発明の他の実施形態（４）によるディスプレイ装置の断面図でる。
【図１７】図１５Ｅの変形例に該当する、本発明の他の実施形態（５）によるディスプレイ装置の断面図である。
【発明を実施するための形態】
【００２４】
本発明は、多様な変換を加えることができ、さまざまな実施形態を有することができるが、特定の実施形態を図面に例示し、詳細な説明によって詳細に説明する。本発明の効果、特徴、及びそれらを達成する方法は、図面と共に詳細に説明する実施形態を参照すれば明確になるであろう。しかし、本発明は、以下に開示される実施形態に限定されるものではなく、多様な形態にて具現される。
【００２５】
以下、添付された図面を参照し、本発明の実施形態について詳細に説明するが、図面を参照して説明するとき、同一であるか、あるいは対応する構成要素には、同一の図面符号を付し、それについての重複した説明は省略する。
【００２６】
以下の実施形態において、第１、第２といった用語は、限定的な意味ではなく、１つの構成要素を他の構成要素と区別する目的に使用されている。
【００２７】
以下の実施形態において、単数の表現は、文脈上、明白に反することを意味しない限り、複数の表現を含む。
【００２８】
以下の実施形態において、「含む」または「有する」といった用語は、明細書に記載された特徴または構成要素が存在するということを意味するものであり、１以上の他の特徴または構成要素が付加される可能性をあらかじめ排除するものではない。
【００２９】
以下の実施形態において、膜、領域、構成要素などの部分が、他の部分の上または上部にあるとするとき、他の部分の真上にある場合だけではなく、その中間に、他の膜、領域、構成要素などが介在されている場合も含む。
【００３０】
図面では、説明の便宜のために、構成要素がその大きさが誇張または縮小されうる。例えば、図面に示された各構成の大きさ及び厚みは、説明の便宜のために任意に示したものであり、本発明は、必ずしも図示されているところに限定されるものではない。
【００３１】
ある実施形態が、別の方式で具現可能な場合、特定の工程の順序は、説明される順序と異なる順序で遂行されうる。例えば、連続するものとして説明される２つの工程が、実質的に同時に遂行されることもあり、説明される順序と逆の順序に進められることもある。
【００３２】
以下の実施形態において、膜、領域、構成要素などが連結されているとするとき、膜、領域、構成要素が直接的に連結された場合だけではなく、膜、領域、構成要素の中間に、他の膜、領域、構成要素が介在され、間接的に連結された場合も含む。例えば、本明細書において、膜、領域、構成要素などが電気的に連結されているとするとき、膜、領域、構成要素などが、直接、電気的に連結された場合だけではなく、その中間に、他の膜、領域、構成要素などが介在され、間接的に電気的連結された場合も含む。
【００３３】
図１は、本発明の一実施形態によるディスプレイ装置を概略的に示した平面図である。
【００３４】
図１を参照すれば、ディスプレイ装置１は、表示領域ＤＡ、及び非表示領域である周辺領域ＰＡを含む。表示領域ＤＡには、有機発光素子（ＯＬＥＤ：organic light-emitting device）といった表示素子を具備した画素Ｐが配置され、所定のイメージを提供する。周辺領域ＰＡは、イメージを提供しない領域であり、表示領域ＤＡの画素Ｐに印加する電気的信号を提供するスキャンドライバ及びデータドライバ、並びに駆動電圧及び共通電圧といった電源を提供する電源線を含む。
【００３５】
図２Ａ及び図２Ｂは、本発明の実施形態による画素の等価回路図である。
【００３６】
図２Ａを参照すれば、各画素Ｐは、スキャン線ＳＬ及びデータ線ＤＬに連結された画素回路ＰＣ、並びに画素回路ＰＣに連結された有機発光素子ＯＬＥＤを含む。
【００３７】
画素回路ＰＣは、駆動薄膜トランジスタＴ１、スイッチング薄膜トランジスタＴ２及びストレージキャパシタＣｓｔを含む。スイッチング薄膜トランジスタＴ２は、スキャン線ＳＬ及びデータ線ＤＬに連結され、スキャン線ＳＬを介して入力されるスキャン信号Ｓｎによって、データ線ＤＬを介して入力されたデータ信号Ｄｍを駆動薄膜トランジスタＴ１に伝達する。
【００３８】
ストレージキャパシタＣｓｔは、スイッチング薄膜トランジスタＴ２及び駆動電圧線ＰＬに連結され、スイッチング薄膜トランジスタＴ２から伝達された電圧と、駆動電圧線ＰＬに供給される駆動電圧ＥＬＶＤＤとの差に該当する電圧を保持する。
【００３９】
駆動薄膜トランジスタＴ１は、駆動電圧線ＰＬとストレージキャパシタＣｓｔとに連結されており、ストレージキャパシタＣｓｔに保持された電圧値に対応して、駆動電圧線ＰＬから有機発光素子ＯＬＥＤ中を流れる駆動電流を、制御することができる。有機発光素子ＯＬＥＤは、駆動電流によって、所定の輝度を有する光を放出することができる。
【００４０】
図２Ａでは、画素Ｐが２個の薄膜トランジスタ、及び１個のストレージ薄膜トランジスタを含む場合について説明したが、本発明は、それに限定されるものではない。
【００４１】
図２Ｂを参照すれば、画素回路ＰＣは、駆動薄膜トランジスタＴ１及びスイッチング薄膜トランジスタＴ２、補償薄膜トランジスタＴ３、第１初期化薄膜トランジスタＴ４、第１発光制御薄膜トランジスタＴ５、第２発光制御薄膜トランジスタＴ６及び第２初期化薄膜トランジスタＴ７を含んでもよい。
【００４２】
駆動薄膜トランジスタＴ１のドレイン電極は、第２発光制御薄膜トランジスタＴ６を経由して、有機発光素子ＯＬＥＤと電気的に連結される。駆動薄膜トランジスタＴ１は、スイッチング薄膜トランジスタＴ２のスイッチング動作によって、データ信号Ｄｍを伝達してもらい、有機発光素子ＯＬＥＤに駆動電流を供給する。
【００４３】
スイッチング薄膜トランジスタＴ２のゲート電極は、第１スキャン線ＳＬと連結され、ソース電極は、データ線ＤＬと連結される。スイッチング薄膜トランジスタＴ２のドレイン電極は、駆動薄膜トランジスタＴ１のソース電極と連結されており、第１発光制御薄膜トランジスタＴ５を経由して、駆動電圧線ＰＬと連結されるのでありうる。
【００４４】
スイッチング薄膜トランジスタＴ２は、第１スキャン線ＳＬを介して伝達された第１スキャン信号Ｓｎによってターンオンされ、データ線ＤＬに伝達されたデータ信号Ｄｍを、駆動薄膜トランジスタＴ１のソース電極に伝達するスイッチング動作を遂行する。
【００４５】
補償薄膜トランジスタＴ３のゲート電極は、第１スキャン線ＳＬｎに連結される。補償薄膜トランジスタＴ３のソース電極は、駆動薄膜トランジスタＴ１のドレイン電極と連結されており、第２発光制御薄膜トランジスタＴ６を経由して、有機発光素子ＯＬＥＤの画素電極と連結される。補償薄膜トランジスタＴ３のドレイン電極は、ストレージキャパシタＣｓｔのいずれか１つの電極、第１初期化薄膜トランジスタＴ４のソース電極、及び駆動薄膜トランジスタＴ１のゲート電極に、共に連結されうる。補償薄膜トランジスタＴ３は、第１スキャン線ＳＬを介して伝達された第１スキャン信号Ｓｎによってターンオンされ、駆動薄膜トランジスタＴ１のゲート電極とドレイン電極とを互いに連結することで、駆動薄膜トランジスタＴ１をダイオード連結（diode-connection）させる。
【００４６】
第１初期化薄膜トランジスタＴ４のゲート電極は、第２スキャン線ＳＬｎ−１と連結される。第１初期化薄膜トランジスタＴ４のドレイン電極は、初期化電圧線ＶＬと連結される。第１初期化薄膜トランジスタＴ４のソース電極は、ストレージキャパシタＣｓｔのいずれか１つの電極、補償薄膜トランジスタＴ３のドレイン電極、及び駆動薄膜トランジスタＴ１のゲート電極に、共に連結されうる。第１初期化薄膜トランジスタＴ４は、第２スキャン線ＳＬｎ−１を介して伝達された第２スキャン信号Ｓｎ−１によってターンオンされ、初期化電圧ＶＩＮＴを駆動薄膜トランジスタＴ１のゲート電極に伝達し、駆動薄膜トランジスタＴ１のゲート電極の電圧を初期化させる、初期化動作を遂行することができる。
【００４７】
第１発光制御薄膜トランジスタＴ５のゲート電極は、発光制御線ＥＬと連結される。第１発光制御薄膜トランジスタＴ５のソース電極は、駆動電圧線ＰＬと連結される。第１発光制御薄膜トランジスタＴ５のドレイン電極は、駆動薄膜トランジスタＴ１のソース電極、及びスイッチング薄膜トランジスタＴ２のドレイン電極と連結されている。
【００４８】
第２発光制御薄膜トランジスタＴ６のゲート電極は、発光制御線ＥＬと連結される。第２発光制御薄膜トランジスタＴ６のソース電極は、駆動薄膜トランジスタＴ１のドレイン電極、及び補償薄膜トランジスタＴ３のソース電極と連結されうる。第２発光制御薄膜トランジスタＴ６のドレイン電極は、有機発光素子ＯＬＥＤの画素電極と電気的に連結される。第１発光制御薄膜トランジスタＴ５及び第２発光制御薄膜トランジスタＴ６は、発光制御線ＥＬを介して伝達された発光制御信号Ｅｎによって同時にターンオンされ、駆動電圧ＥＬＶＤＤが有機発光素子ＯＬＥＤに伝達され、有機発光素子ＯＬＥＤに駆動電流が流れる。
【００４９】
第２初期化薄膜トランジスタＴ７のゲート電極は、第３スキャン線ＳＬｎ＋１に連結されうる。第２初期化薄膜トランジスタＴ７のソース電極は、有機発光素子ＯＬＥＤの画素電極と連結されうる。第２初期化薄膜トランジスタＴ７のドレイン電極は、初期化電圧線ＶＬと連結されうる。第２初期化薄膜トランジスタＴ７は、第３スキャン線ＳＬｎ＋１を介して伝達された第３スキャン信号Ｓｎ＋１によってターンオンされ、有機発光素子ＯＬＥＤの画素電極を初期化させることができる。
【００５０】
ストレージキャパシタＣｓｔの他の１つの電極は、駆動電圧線ＰＬと連結されうる。ストレージキャパシタＣｓｔのいずれか１つの電極は、駆動薄膜トランジスタＴ１のゲート電極、補償薄膜トランジスタＴ３のドレイン電極及び、第１初期化薄膜トランジスタＴ４のソース電極に、共に連結されうる。
【００５１】
有機発光素子ＯＬＥＤの対向電極は、共通電源電圧ＥＬＶＳＳを提供してもらう。有機発光素子ＯＬＥＤは、駆動薄膜トランジスタＴ１から駆動電流を伝達してもらって発光する。
【００５２】
画素回路ＰＣは、図２Ａ及び図２Ｂを参照して説明した薄膜トランジスタ及びストレージキャパシタの個数、並びに回路デザインに限定されるものではなく、その個数及び回路デザインは、多様に変更可能である。
【００５３】
図３は、本発明の一実施形態によるディスプレイ装置の断面図であり、図４は、図３の「ＩＶ」の部分の拡大断面図である。
【００５４】
図３を参照すれば、表示領域ＤＡは、画素、例えば、第１画素Ｐ１、第２画素Ｐ２及び第３画素Ｐ３がそれぞれ配置される第１画素領域ＰＡ１、第２画素領域ＰＡ２及び第３画素領域ＰＡ３を含み、隣接する画素領域間の非画素領域ＮＰＡを含む。本明細書における画素領域とは、実際に光が放出される領域、すなわち、発光領域に対応する。
【００５５】
第１画素Ｐ１、第２画素Ｐ２及び第３画素Ｐ３は、互いに異なる色相を具現することができる。例えば、第１画素Ｐ１は赤色を具現し、第２画素Ｐ２は緑色を具現し、第３画素Ｐ３は、青色を具現することができる。他の実施形態において、表示領域ＤＡは、白色を具現する第４画素（図示せず）をさらに含んでもよい。
【００５６】
基板１００は、ガラス材、またはＰＥＴ（polyethylene terephthalate）、ＰＥＮ（polyethylene naphthalate）、ポリイミド（polyimide）といったプラスチック材などの多様な材料を含むものでありうる。基板１００がプラスチック材によって形成された場合には、ガラス材によって形成された場合より可撓性を向上させることができる。
【００５７】
基板１００上には、画素回路ＰＣを含む回路素子層１１０が具備される。画素回路ＰＣは、先に図２Ａ及び図２Ｂを参照して説明したような薄膜トランジスタ及びストレージキャパシタを含む。薄膜トランジスタ及びストレージキャパシタをなす層、例えば、半導体層及び電極層は、絶縁層を挟んで配置されてもよい。画素回路ＰＣは、第１画素Ｐ１、第２画素Ｐ２及び第３画素Ｐ３の画素ごとに配置される。
【００５８】
第１画素Ｐ１、第２画素Ｐ２及び第３画素Ｐ３は、それぞれ、画素回路ＰＣに電気的に連結された、第１有機発光素子ＯＬＥＤ１、第２有機発光素子ＯＬＥＤ２及び第３有機発光素子ＯＬＥＤ３を含む。第１有機発光素子ＯＬＥＤ１、第２有機発光素子ＯＬＥＤ２及び第３有機発光素子ＯＬＥＤ３は、いずれも、画素電極、発光層を含む中間層及び対向電極を含む。
【００５９】
第１有機発光素子ＯＬＥＤ１は、第１画素電極２１１、第１中間層２２１及び第１対向電極２３１を含む。第２有機発光素子ＯＬＥＤ２は、第２画素電極２１２、第２中間層２２２及び第２対向電極２３２を含む。第３有機発光素子ＯＬＥＤ３は、第３画素電極２１３、第３中間層２２３及び第３対向電極２３３を含む。
【００６０】
第１画素電極２１１、第２画素電極２１２及び第３画素電極２１３の端部は、それぞれ画素画成膜１２０で覆われており、第１対向電極２３１、第２対向電極２３２及び第３対向電極２３３との距離を増大させ、電気的短絡を防止することができる。第１画素電極２１１、第２画素電極２１２及び第３画素電極２１３の上面は、画素画成膜１２０の開口ＯＰ１を通じて露出され、開口ＯＰ１を通じて、それぞれ、第１中間層２２１、第２中間層２２２及び第３中間層２２３と重なり合っているのでありうる。
【００６１】
第１画素電極２１１、第２画素電極２１２及び第３画素電極２１３は、第１画素領域ＰＡ１、第２画素領域ＰＡ２及び第３画素領域ＰＡ３に、それぞれ対応するように配置された、島状であり、回路素子層１１０上に、互いに離隔して配置される。
【００６２】
第１画素電極２１１、第２画素電極２１２及び第３画素電極２１３は、反射電極であり得、また、透光性電極でありうる。
【００６３】
反射電極である場合、第１画素電極２１１、第２画素電極２１２及び第３画素電極２１３は、Ａｇ、Ｍｇ、Ａｌ、Ｐｔ、Ｐｄ、Ａｕ、Ｎｉ、Ｎｄ、Ｉｒ、Ｃｒ、またはそれらの化合物などによって形成された反射膜を含んでもよい。または、第１画素電極２１１、第２画素電極２１２及び第３画素電極２１３は、前述の反射膜、及び前述の反射膜の上または／及び下の透明導電性酸化物（ＴＣＯ：transparent conductive oxide）膜を含んでもよい。一実施形態において、第１画素電極２１１、第２画素電極２１２及び第３画素電極２１３は、ＩＴＯ（indium tin oxide）／Ａｇ／ＩＴＯの３層でありうる。
【００６４】
透光性電極である場合、第１画素電極２１１、第２画素電極２１２及び第３画素電極２１３は、透明導電性酸化物（ＴＣＯ）層でありうる。または、第１画素電極２１１、第２画素電極２１２及び第３画素電極２１３は、銀（Ａｇ）または銀（Ａｇ）合金を含む金属薄膜であり得、前述の金属薄膜上に透明導電性酸化物層が形成された積層膜でありうる。
【００６５】
第１中間層２２１、第２中間層２２２及び第３中間層２２３は、第１画素領域ＰＡ１、第２画素領域ＰＡ２及び第３画素領域ＰＡ３に、それぞれ対応するように配置された、島状であり、互いに離隔して配置される。第１中間層２２１、第２中間層２２２及び第３中間層２２３は、画素画成膜１２０の開口ＯＰ１を通じて、それぞれ、第１画素電極２１１、第２画素電極２１２及び第３画素電極２１３の上に配置される。
【００６６】
図３及び図４を参照すれば、第１中間層２２１は、発光層２２１ｂを含む。発光層２２１ｂは、例えば、赤色の光を放出する有機発光層でありうる。第１中間層２２１は、発光層２２１ｂの上または／及び下に配置された、第１機能層２２１ａ及び第２機能層２２１ｃをさらに含んでもよい。第１機能層２２１ａは、ホール注入層ＨＩＬ及び／またはホール輸送層ＨＴＬを含んでもよく、第２機能層２２１ｃは、電子輸送層ＥＴＬ及び／または電子注入層ＥＩＬを含んでもよい。
【００６７】
再び図３を参照すれば、第２中間層２２２は、緑色の光を放出する有機発光層である発光層を含む。第２中間層２２２は、発光層の上または／及び下に配置された機能層、例えば、ホール注入層、ホール輸送層、電子輸送層及び／または電子注入層をさらに含んでもよい。第３中間層２２３は、青色の光を放出する有機発光層である発光層を含む。第３中間層２２３は、発光層の上または／及び下に配置された機能層、例えば、ホール注入層、ホール輸送層、電子輸送層及び／または電子注入層をさらに含んでもよい。
【００６８】
第１中間層２２１、第２中間層２２２及び第３中間層２２３の厚みは、互いに異なってもよい。第１中間層２２１、第２中間層２２２及び第３中間層２２３は、後述する工程により、互いに独立に、すなわち別個にパターニングされるので、第１中間層２２１、第２中間層２２２及び第３中間層２２３の機能層の物質、厚みなどは、互いに異なってもよい。
【００６９】
第１対向電極２３１、第２対向電極２３２及び第３対向電極２３３は、第１画素領域ＰＡ１、第２画素領域ＰＡ２及び第３画素領域ＰＡ３に、それぞれ対応するように配置された島状であり、互いに離隔して配置される。第１対向電極２３１、第２対向電極２３２及び第３対向電極２３３は、それぞれ第１中間層２２１、第２中間層２２２及び第３中間層２２３の上に配置される。
【００７０】
第１対向電極２３１、第２対向電極２３２及び第３対向電極２３３の幅ｗ２１，ｗ２２，ｗ２３は、それぞれ、第１中間層２２１、第２中間層２２２及び第３中間層２２３の幅ｗ１１，ｗ１２，ｗ１３より、広いのでありうる。第１対向電極２３１、第２対向電極２３２及び第３対向電極２３３の端部は、それぞれ、第１中間層２２１、第２中間層２２２及び第３中間層２２３の端部よりも、配線層１３０に向かってさらに延長されることで、配線層１３０と接触するのでありうる。
【００７１】
第１対向電極２３１、第２対向電極２３２及び第３対向電極２３３は、透光性電極または反射電極でもある。第１対向電極２３１、第２対向電極２３２及び第３対向電極２３３は、Ａｇ、Ｍｇ、Ａｌ、Ｙｂ、Ｃａ、Ｌｉ及びＡｕのうちの少なくともいずれか１つ以上の物質を含む金属薄膜または金属の厚膜でありうる。例えば、第１対向電極２３１、第２対向電極２３２及び第３対向電極２３３は、Ａｇ、Ｍｇ、Ａｌ、Ｙｂ、Ｃａ、ＬｉＦ／Ｃａ、ＬｉＦ／Ａｌ、Ａｌ、Ａｕのうちの少なくともいずれか一つを含む、単層膜、または複数層の積層膜でありうる。一実施形態において、第１対向電極２３１、第２対向電極２３２及び第３対向電極２３３は、Ａｇ及びＭｇを含む金属薄膜を含むものであり得、ＡｇがＭｇよりも多く含有されるのであってもよい。
【００７２】
本発明の非制限的な実施形態において、前述の材料を含む第１対向電極２３１、第２対向電極２３２及び第３対向電極２３３は、厚みを薄くして光透過性電極として形成するか、あるいは厚みを厚くして反射電極として形成することができる。例えば、Ａｇ及びＭｇを含む金属を、約１０Åないし１５Åの厚みに形成し、光透過性を有する電極として使用したり、厚みを約５０ｎｍ以上の厚みに形成し、反射電極として使用したりすることができる。
【００７３】
第１対向電極２３１、第２対向電極２３２及び第３対向電極２３３は、それぞれ第１パッシベーション層２４１、第２パッシベーション層２４２及び第３パッシベーション層２４３で覆われうる。第１パッシベーション層２４１、第２パッシベーション層２４２及び第３パッシベーション層２４３は、製造工程中において、第１対向電極２３１、第２対向電極２３２及び第３対向電極２３３、並びにその下層が損傷されることを防止しうる。第１パッシベーション層２４１、第２パッシベーション層２４２及び第３パッシベーション層２４３の幅ｗ３１，ｗ３２，ｗ３３は、それぞれ、第１対向電極２３１、第２対向電極２３２及び第３対向電極２３３の幅ｗ２１，ｗ２２，ｗ２３より広い。例えば、第１パッシベーション層２４１、第２パッシベーション層２４２及び第３パッシベーション層２４３の端部は、それぞれ、第１中間層２２１、第２中間層２２２及び第３中間層２２３の端部よりも、配線層１３０に向かってさらに延長され、配線層１３０と接触することができる。
【００７４】
第１パッシベーション層２４１、第２パッシベーション層２４２及び第３パッシベーション層２４３は、酸化ケイ素（ＳｉＯｘ）、窒化ケイ素（ＳｉＮｘ）及び／または酸窒化ケイ素（ＳｉＯＮ）といった無機絶縁物を含んでもよく、単一層の膜、または複数層からなる積層膜として形成されうる。
【００７５】
相互離隔された島状の第１対向電極２３１、第２対向電極２３２及び第３対向電極２３３は、配線層１３０を介して、互いに電気的に連結され、共通電源線と連結されることで、共通電圧ＥＬＶＳＳを提供してもらうのでありうる。
【００７６】
配線層１３０は、非画素領域ＮＰＡに対応して配置される。配線層１３０は、画素画成膜１２０上に配置され、画素画成膜１２０と直接接触することができる。配線層１３０は、導電性物質、例えば、金属または透明導電性酸化物（ＴＣＯ）などを含んでもよく、単一層の膜、または複数層からなる積層膜でありうる。
【００７７】
図３の拡大された部分を参照すれば、第１対向電極２３１は、配線層１３０の上にまで延長され、一部（例えば、両者の端部）が重ね合わされた状態で、配線層１３０の上面と直接に接触することができる。同様に、第２対向電極２３２及び第３対向電極２３３は、いずれも、配線層１３０の上にまで延長され、一部（例えば、両者の端部）同士が重ね合わされた状態で、配線層１３０の上面と直接に接触することができる。このように、配線層１３０は、第１対向電極２３１、第２対向電極２３２及び第３対向電極２３３と直接に接触することができる。
【００７８】
図示の具体例において、画素画成膜１２０は、積層断面において、湾曲膨出状、特には円弧状または楕円弧状に膨出しており、直交格子（碁盤目）状に配置されて、各画素領域（発光領域）をなす矩形状の開口ＯＰ１を画成する。一連の対向電極を互いに電気的に連結するための配線層１３０は、図３のような積層断面において、画素画成膜１２０における、両方の裾部以外、例えば、画素画成膜１２０の膨出高さの約１／２以上の高さの領域の全体を覆うように配置することができる。そして、画素電極と対向電極との間に挟まれる中間層２２１〜２２３は、両縁が、ほぼ、配線層１３０の縁に一致するように配置することができる。すなわち、画素画成膜１２０の膨出高さの１／２の高さの近傍にまで両縁が延長されるようにすることができる。図３のような積層断面において、例えば、画素電極２１１〜２１３の幅は、画素開口ＯＰ１の幅の１〜１．１倍とすることができ（例えば、画素電極２１１〜２１３の幅は、画素開口ＯＰ１，ＯＰ２，ＯＰ３の幅よりもさらに広く形成することができる。本発明において、画素開口ＯＰ１，ＯＰ２，ＯＰ３の幅は、画素開口のすそ部が始まる部分の幅であり、画素開口ＯＰ１，ＯＰ２，ＯＰ３を介して露出される画素電極２１１〜２１３と実質的に同一である）、中間層２２１〜２２３の幅は、対応する、画素開口ＯＰ１，ＯＰ２，ＯＰ３を介して露出される画素電極２１１〜２１３の幅の１〜１．３倍とすることができ、対向電極２３１〜２３３の幅は、対応する中間層２２１〜２２３の幅の１．０５〜１．５倍、または１．０５〜１．３倍、または１．０５〜１．２倍とすることができ、パッシベーション層２４１〜２４３の幅は、対応する中間層２２１〜２２３の幅の１．１〜１．３倍とすることができる。また、図３に示すように、配線層１３０の縁は、中間層２２１〜２２３に覆われ、配線層１３０における縁から離間した領域にて、対向電極２３１〜２３３に直接重ね合わされて接触するのであってもよい。さらには、画素ごとに備えられた対向電極２３１〜２３３は、必ずしも、図３の断面に垂直の方向の全体にて配線層１３０に重ね合わされて接触するのでなくてもよく、特定のコンタクトホール状の領域にて接触するのであってもい。
【００７９】
図５は、図３のディスプレイ装置を、図３の「Ｋ」方向（上方；基板に垂直に、その表側から裏側へと向かう方向）から見た平面図であり、図６は、図５の変形例である。図５及び図６は説明の便宜のために、図３のディスプレイ装置のうち、画素画成膜、配線層、第１対向電極、第２対向電極及び第３対向電極だけを抜粋して図示する。
【００８０】
図５を参照すれば、一実施形態において、配線層１３０は、非画素領域ＮＰＡ上にて、網の形態、特には碁盤状の格子の形態を有するように配置される。配線層１３０は、非画素領域ＮＰＡの画素画成膜１２０上に配置されるが、第１画素領域ＰＡ１、第２画素領域ＰＡ２及び第３画素領域ＰＡ３に、それぞれ配置された第１対向電極２３１、第２対向電極２３２及び第３対向電極２３３に、一部重なることで、直接接触することができる。
【００８１】
図６を参照すれば、他の実施形態において、配線層１３０は、平面図にて複数の互いに分離された部分からなるものでありうる。複数の配線層１３０は、それぞれ直線帯状であり、非画素領域ＮＰＡ上で等幅及び等間隔のストライプの形態を有するように配置されてもよい。ストライプの形態の複数の配線層１３０は、非画素領域ＮＰＡの画素画成膜１２０上に配置されてもよい。各配線層１３０は、第１画素領域ＰＡ１、第２画素領域ＰＡ２及び第３画素領域ＰＡ３にそれぞれ配置された、第１対向電極２３１、第２対向電極２３２及び第３対向電極２３３に、一部重なることで直接接触することができる。
【００８２】
配線層１３０は、非画素領域ＮＰＡにおいて画素画成膜１２０上に配置され、第１対向電極２３１、第２対向電極２３２及び第３対向電極２３３と一部重なることで直接接触しさえすればよいのであり、配線層１３０のパターンは、図５及び図６に図示されているように、網の形態またはストライプの形態以外にも、多様な形態にパターニングされうる。このようにして、配線層１３０は、第１対向電極２３２、第２対向電極２３２及び第３対向電極２３３に、接続や連結がされうるのであり、第１対向電極２３２、第２対向電極２３２及び第３対向電極２３３は、配線層１３０を介して、相互の接続や電気的な連結がなされうる。
【００８３】
図７Ａ及び図７Ｂは、本発明の実施形態によるディスプレイ装置の回路素子層の断面図である。
【００８４】
図７Ａを参照すれば、駆動薄膜トランジスタＴ１は、駆動半導体層Ａ１、駆動ゲート電極Ｇ１、駆動ソース電極Ｓ１及び駆動ドレイン電極Ｄ１を含み、スイッチング薄膜トランジスタＴ２は、スイッチング半導体層Ａ２、スイッチングゲート電極Ｇ２、スイッチングソース電極Ｓ２及びスイッチングドレイン電極Ｄ２を含み、ストレージキャパシタＣｓｔは、第１ストレージ蓄電板ＣＥ１及び第２ストレージ蓄電板ＣＥ２を含んでもよい。
【００８５】
駆動半導体層Ａ１及びスイッチング半導体層Ａ２と、駆動ゲート電極Ｇ１及びスイッチングゲート電極Ｇ２との間には、ゲート絶縁層１０３が介在し、第１ストレージ蓄電板ＣＥ１と第２ストレージ蓄電板ＣＥ２との間には、誘電体層１０５が介在し、駆動ゲート電極Ｇ１及びスイッチングゲート電極Ｇ２と、駆動ソース電極Ｓ１、スイッチングソース電極Ｓ２、駆動ドレイン電極Ｄ１及びスイッチングドレイン電極Ｄ２との間には、層間絶縁層１０７（及び誘電体層１０５）が介在し、駆動ソース電極Ｓ１、スイッチングソース電極Ｓ２、駆動ドレイン電極Ｄ１及びスイッチングドレイン電極Ｄ２の上には、平坦化絶縁層１０９が配置される。
【００８６】
ゲート絶縁層１０３は、窒化ケイ素（ＳｉＮｘ）及び／または酸化ケイ素（ＳｉＯｘ）といった無機物を含む単層膜、または複数層からなる積層膜でありうる。誘電体層１０５及び層間絶縁層１０７は、前述の酸化ケイ素、窒化ケイ素及び／または酸化アルミニウム（Ａｌ２Ｏ３）といった無機物を含む単層膜、または複数層からなる積層膜でありうる。平坦化絶縁層１０９は、ポリメチルメタクリレート（ＰＭＭＡ）やポリスチレン（ＰＳ）といった一般の汎用高分子、フェノール系基を有する高分子誘導体、アクリル系高分子、イミド系高分子、アリールエーテル系高分子、アミド系高分子、フッ素系高分子、ｐ−キシレン系高分子、ビニルアルコール系高分子、及びそれらのブレンドなどを含む有機物を含むものでありうるが、本発明は、それらに限定されるものではない。
【００８７】
図７Ａには、ストレージキャパシタＣｓｔが、駆動薄膜トランジスタＴ１と重り合うように配置され、駆動ゲート電極Ｇ１が第１ストレージ蓄電板ＣＥ１である場合を図示しているが、本発明は、それに限定されるものではない。
【００８８】
図７Ｂを参照すれば、ストレージキャパシタＣｓｔは、駆動薄膜トランジスタＴ１と重らないように配置されてもよい。例えば、第１ストレージ蓄電板ＣＥ１と駆動ゲート電極Ｇ１とが同一の材料を含むものであり、第２ストレージ蓄電板ＣＥ２は、駆動ソース電極Ｓ２及び駆動ドレイン電極Ｄ１と同一の材料を含むものであり、第１ストレージ蓄電板ＣＥ１と第２ストレージ蓄電板ＣＥ２との間には、層間絶縁層１０７が介在してもよい。
【００８９】
図７Ａ及び図７Ｂを参照して説明した実施形態によれば、駆動薄膜トランジスタＴ１及びスイッチング薄膜トランジスタＴ２の駆動ゲート電極Ｇ１及びスイッチングゲート電極Ｇ２が、駆動半導体層Ａ１及びスイッチング半導体層Ａ２の上に配置される場合について説明したが、本発明は、それに限定されるものではない。他の実施形態として、駆動ゲート電極Ｇ１及びスイッチングゲート電極Ｇ２は、それぞれ駆動半導体層Ａ１及びスイッチング半導体層Ａ２の下に配置されてもよい。駆動ゲート電極Ｇ１及びスイッチングゲート電極Ｇ２の位置によって、一部の実施形態においては、駆動半導体層Ａ１及びスイッチング半導体層Ａ２が無機バッファ層１０１のすぐ上に配置され、他の実施形態においては、駆動ゲート電極Ｇ１及びスイッチングゲート電極Ｇ２が、無機バッファ層１０１のすぐ上に配置されうる。
【００９０】
図８Ａないし図８Ｈは、本発明の一実施形態によるディスプレイ装置の製造工程にのっとった一連の断面図である。
【００９１】
図８Ａを参照すれば、基板１００上に、画素回路ＰＣを含む回路素子層１１０を形成し、回路素子層１１０の上に、第１画素電極２１１、第２画素電極２１２及び第３画素電極２１３を形成する。第１画素電極２１１、第２画素電極２１２及び第３画素電極２１３は、第１画素領域ＰＡ１、第２画素領域ＰＡ２及び第３画素領域ＰＡ３に、それぞれ対応するように形成される。例えば、回路素子層１１０上に、予備画素電極層（図示せず）を形成した後、それをパターニングし、第１画素電極２１１、第２画素電極２１２及び第３画素電極２１３を形成することができる。基板１００の材料、並びに第１画素電極２１１、第２画素電極２１２及び第３画素電極２１３の材料は、先に図３を参照して説明したので、重複説明は省略する。
【００９２】
その後、第１画素電極２１１、第２画素電極２１２及び第３画素電極２１３の上に絶縁材料層（図示せず）を形成した後、それをパターニングすることで、第１画素電極２１１、第２画素電極２１２及び第３画素電極２１３をそれぞれ露出させる開口ＯＰ１を有する、画素画成膜１２０を形成する。画素画成膜１２０をなす絶縁材料は、有機物でありうる。他の実施形態において、画素画成膜１２０をなす絶縁材料は、無機物であるか、あるいは無機物及び有機物を含む、複数の層からなる積層膜、または複合材料による単層膜でありうる。
【００９３】
図８Ｂを参照すれば、非画素領域ＮＰＡに、配線層１３０を形成する。配線層１３０は、導電性物質、例えば、金属または透明導電性酸化物（ＴＣＯ）などを含んでもよく、単一層の膜、または複数の層からなる積層膜でありうる。
【００９４】
配線層１３０の形成は、多様な方法を利用することができる。一実施形態において、導電物質層（図示せず）を形成した後、フォトリソグラフィ工程、及び湿式または乾式のエッチング工程により、非画素領域ＮＰＡの画素画成膜１２０上に配線層１３０を形成する。該エッチング工程では、緻密なパターニングのために、乾式エッチングを行うことができる。その場合、第１画素電極２１１、第２画素電極２１２及び第３画素電極２１３の損傷を防止するように、配線層１３０をなす導電性材料は、第１画素電極２１１、第２画素電極２１２及び第３画素電極２１３の材料とエッチング選択比が異なる材料を含むことが望ましい。
【００９５】
他の実施形態において、配線層１３０は、配線層１３０が位置することとなる部分以外の領域に、ポジ型（positive）あるいはネガ型(negative)のレジスト材料を含むマスキング層（図示せず）を形成した後、熱蒸着などの方式によって導電性材料を蒸着し、配線層１３０を形成することができる。その場合、第１画素電極２１１、第２画素電極２１２及び第３画素電極２１３は、マスキング層で覆われているので、配線層１３０の形成工程にて、前述の乾式エッチング法と異なり、損傷されるものではない。従って、配線層１３０をなす導電性材料は、第１画素電極２１１、第２画素電極２１２及び第３画素電極２１３の物質と同一の材料を含むものでありうる。
【００９６】
図８Ｃを参照すれば、第１画素領域ＰＡ１に対応する部分が開放された第１マスキング層１０１０を形成する。第１マスキング層１０１０は、第１感光パターン層１２１０、及び、第１感光パターン層１２１０と画素画成膜１２０との間の第１補助層１１１０を含んでもよい。
【００９７】
一実施形態において、第１マスキング層１０１０は、下記の工程によって形成されうる。
【００９８】
配線層１３０が形成された基板１００上に、非感光性有機物層（図示せず）を形成し、その上に、フォトレジスト層（図示せず）を形成する。該非感光性有機物層は、一例として、フッ素系物質を含んでもよいが、本発明は、それに制限されるものではない。フォトレジスト層は、ポジ型（positive）の感光材料を含んでもよい。
【００９９】
その後、フォトレジスト層のうち、第１画素領域ＰＡ１に対応する一部の領域を露光して現像し、第１開口領域ＯＲ１を有する第１感光パターン層１２１０を形成する。次に、第１開口領域ＯＲ１を通じて露出された非感光性有機物層をエッチングし、第１補助開口領域ＡＯＲ１を形成する。該エッチングにより、第１補助層１１１０の第１補助開口領域ＡＯＲ１は、第１開口領域ＯＲ１より大きく形成される。
【０１００】
第１補助層１１１０は、配線層１３０上に配置されるが、配線層１３０の端部（例えば、第１画素電極２１１と隣接した端部）が露出されるように、配線層１３０の端部を覆わない。
【０１０１】
図８Ｄを参照すれば、第１マスキング層１０１０が形成された基板１００上に、順に、第１中間層２２１、第１対向電極２３１及び第１パッシベーション層２４１を形成する。第１中間層２２１、第１対向電極２３１、第１パッシベーション層２４１の材料については、先に図３を参照して説明したので、重複説明は省略し、以下では工程を中心に説明する。
【０１０２】
第１中間層２２１と第１対向電極２３１は、熱蒸着（thermal evaporation）法によって形成されてもよい。第１中間層２２１及び第１対向電極２３１を形成するための蒸着材料は、基板１００に垂直の方向及び斜めの方向に沿って、基板１００に向けて移動することができる。従って、第１中間層２２１の端部、及び第１対向電極２３１の端部は、第１補助層１１１０と接触しない状態でありつつ、第１感光パターン層１２１０における庇（ひさし）状の端部の下の空間にまで延長されてもよい。蒸着材料が斜め方向に蒸着されることで、第１中間層２２１及び第１対向電極２３１の端部は、積層断面にて、画素の外側へと向かう順方向テーパ形状（forward taper shape）を有することができ、第１中間層２２１の幅よりさらに広い幅を有するように、第１対向電極２３１の端部は、第１中間層２２１の端部よりさらに、画素の外側へと向かって延長され、配線層１３０と接触することができる。第１対向電極２３１は、配線層１３０の上面と直接に接触し、電気的に直接に連結されうる。
【０１０３】
一実施形態において、第１パッシベーション層２４１は、化学気相蒸着法（ＣＶＤ）によって形成されてもよい。第１パッシベーション層２４１を形成するための蒸着物質は、基板１００に垂直である方向及び斜め方向に沿って、基板１００に向けて移動することができる。従って、第１パッシベーション層２４１の端部は、第１補助層１１１０と接触せず、第１感光パターン層１２１０下の空間に延長されてもよい。第１パッシベーション層２４１の端部は、順方向テーパ形状を有する。第１パッシベーション層２４１は、後述する工程において、第１対向電極２３１及びその下層が損傷されることを防止するために、第１対向電極２３１の幅よりさらに広幅を有する。
【０１０４】
図８Ｅを参照すれば、その後、リフトオフ工程により、第１マスキング層１０１０を除去する。一実施形態において、第１補助層１１１０がフッ素系材料である場合、フッ素系溶媒を利用して、第１補助層１１１０を除去することができる。第１補助層１１１０が除去されることで、第１補助層１１１０上の第１感光パターン層１２１０、第１感光パターン層１２１０上に積層された第１中間層２２１、第１対向電極２３１及び第１パッシベーション層２４１が、共に除去される。そして、第１画素領域ＰＡ１には、島状の、第１中間層２２１、第１対向電極２３１及び第１パッシベーション層２４１が残る。
【０１０５】
第１パッシベーション層２４１は、リフトオフの際、第１有機発光素子ＯＬＥＤ１を保護することができる。第１マスキング層１０１０のリフトオフの際、フッ素系溶媒に含まれた物質が第１有機発光素子ＯＬＥＤ１中に浸透し、第１有機発光素子ＯＬＥＤ１を損傷させることを防止することができる。
【０１０６】
図８Ｆを参照すれば、第２画素領域ＰＡ２に対応する部分が開放された第２マスキング層１０２０を形成する。第２マスキング層１０２０は、第２感光パターン層１２２０、及び、第２感光パターン層１２２０と画素画成膜１２０との間の第２補助層１１２０を含んでもよい。第２補助層１１２０及び第２感光パターン層１２２０は、それぞれ前述の第１補助層１１１０及び第１感光パターン層１２１０と同一の材料を含み、同一の工程によって形成されてもよい。
【０１０７】
次に、第２マスキング層１０２０が形成された基板１００上に、順に、第２中間層２２２、第２対向電極２３２及び第２パッシベーション層２４２を形成する。第２中間層２２２、第２対向電極２３２、第２パッシベーション層２４２の材料は、先に図３を参照して説明したので、重複説明は省略する。
【０１０８】
第２中間層２２２と第２対向電極２３２は、熱蒸着法によって形成され、第２パッシベーション層２４２は、化学気相蒸着法によって形成されるのであってもよい。
【０１０９】
第２中間層２２２、第２対向電極２３２、第２パッシベーション層２４２をなす蒸着物質は、基板１００に垂直である方向及び斜め方向に沿って、基板１００に向けて移動することができる。従って、第２中間層２２２、第２対向電極２３２、第２パッシベーション層２４２それぞれの端部は、第２補助層１１２０と接触せず、順方向テーパ形状を有する。
【０１１０】
第２対向電極２３２は、第２中間層２２２の幅よりさらに広幅を有するように、端部が第２中間層２２２の端部より延長され、配線層１３０と接触することができる。第２対向電極２３２は、配線層１３０の上面と直接接触し、電気的に直接連結される。第２パッシベーション層２４２は、第２対向電極２３２の幅よりさらに広幅を有するように形成され、従って、後述する工程において、第２対向電極２３２及びその下層が損傷されることを防止することができる。
【０１１１】
その後、リフトオフ工程を介して、第２マスキング層１０２０を除去する。例えば、フッ素系溶媒を利用して、第２補助層１１２０を除去することにより、第２補助層１１２０上の第２感光パターン層１２２０、第２中間層２２２、第２対向電極２３２及び第２パッシベーション層２４２が共に除去される。そして、第２画素領域ＰＡ２には、島型の第２中間層２２２、第２対向電極２３２及び第２パッシベーション層２４２が残る。
【０１１２】
図８Ｇを参照すれば、第３画素領域ＰＡ３に対応する部分が開放された第３マスキング層１０３０を形成する。第３マスキング層１０３０は、第３感光パターン層１２３０及び第３感光パターン層１２３０と、画素画成膜１２０との間の第３補助層１１３０を含んでもよい。第３補助層１１２０及び第３感光パターン層１２２０は、それぞれ前述の第１補助層１１１０及び第１感光パターン層１２１０と同一物質を含み、同一工程によって形成されてもよい。
【０１１３】
次に、第３マスキング層１０３０が形成された基板１００上に、順に、第３中間層２２３、第３対向電極２３３及び第３パッシベーション層２４３を形成する。第３中間層２２３、第３対向電極２３３、第３パッシベーション層２４３の物質は、先に図３を参照して説明したので、重複説明は省略する。
【０１１４】
第３中間層２２３と第３対向電極２３３は、熱蒸着法によって形成され、第３パッシベーション層２４３は、化学気相蒸着法によって形成されてもよい。
【０１１５】
第３中間層２２３、第３対向電極２３３、第３パッシベーション層２４３をなす蒸着物質は、基板１００に垂直である方向及び斜め方向に沿って、基板１００に向けて移動することができる。従って、第３中間層２２３、第３対向電極２３３、第３パッシベーション層２４３のそれぞれの端部は、第３補助層１１３０と接触せず、順方向テーパ形状を有する。
【０１１６】
第３対向電極２３３は、第３中間層２２３の幅よりさらに広い幅を有するように、端部が第３中間層２２３の端部よりも画素の外側へと延長され、配線層１３０と接触することができる。第３対向電極２３３は、配線層１３０の上面と直接接触し、電気的に直接連結される。第３パッシベーション層２４３は、第３対向電極２３３の幅よりさらに広い幅を有するように形成され、従って、後述する工程において、第３対向電極２３３及びその下層が損傷されることを防止することができる。
【０１１７】
図８Ｈを参照すれば、リフトオフ工程により、第３マスキング層１０３０を除去する。例えば、フッ素系溶媒を利用して、第３補助層１１３０を除去することにより、第３補助層１１３０上の、第３感光パターン層１２３０、第３中間層２２３、第３対向電極２３３及び第３パッシベーション層２４３が、共に除去される。そして、第３画素領域ＰＡ３には、島状の、第３中間層２２３、第３対向電極２３３及び第３パッシベーション層２４３が残る。
【０１１８】
図９は、本発明の他の実施形態（１）によるディスプレイ装置の断面図である。
【０１１９】
図９を参照すれば、ディスプレイ装置２は、配線層１３０Ａ以外の構成が、図３を参照して説明したディスプレイ装置１と同一であるので、以下では、相違点を中心に説明する。
【０１２０】
配線層１３０Ａは、第１金属層１３１及び第２金属層１３３、並びにそれらの間の透光層１３２を含む多層構造でありうる。配線層１３０Ａは、外部から、ディスプレイ装置２に向けて入射した光が配線層１３０Ａで反射して外部に視認されることを防止することができる。例えば、第１金属層１３１で反射した光Ｌ１と、第２金属層１３３で反射した光Ｌ２とは、互いに相殺されるように干渉し合うことによって、外部から視認されない。
【０１２１】
第１金属層１３１及び第２金属層１３３は、モリブデン（Ｍｏ）、チタン（Ｔｉ）といった金属を含んでもよいが、本発明は、それらに制限されるものではない。透光層１３２は、酸化ケイ素（ＳｉＯｘ）といった透光性無機物または透明酸化物を含んでもよい。透光層１３２が酸化ケイ素（ＳｉＯｘ）といった絶縁性材料を含む場合、配線層１３０Ａ中、第２金属層１３３が、実質的に共通電圧ＥＬＶＳＳを、第１対向電極２３１、第２対向電極２３２及び第３対向電極２３３に供給する配線としての機能を遂行することができる。
【０１２２】
配線層１３０Ａは、図８Ｂを参照して説明した工程と同一の工程によって形成され、その際、配線層１３０Ａをなす材料、例えば、第１金属層１３１及び第２金属層１３３及び透光層１３２は、第１画素電極２１１、第２画素電極２１２及び第３画素電極２１３をなす材料とエッチング選択比が異なる材料を含むことが望ましい。
【０１２３】
図１０は、本発明の他の実施形態（２）によるディスプレイ装置の断面図であり、図１１は、図１０のディスプレイ装置を、上述のＫ方向から見た平面図であり、図１２は、図１１の変形例である。図１１及び図１２は、説明の便宜のために、図１０のディスプレイ装置のうち、画素画成膜、配線層、第１対向電極、第２対向電極及び第３対向電極だけを抜粋して図示する。
【０１２４】
図１０を参照すれば、ディスプレイ装置３は、基板１００、画素回路ＰＣを含む回路素子層１１０、第１有機発光素子ＯＬＥＤ１、第２有機発光素子ＯＬＥＤ２、第３有機発光素子ＯＬＥＤ３、第１パッシベーション層２４１、第２パッシベーション層２４２及び第３パッシベーション層２４３を含む。第１有機発光素子ＯＬＥＤ１、第２有機発光素子ＯＬＥＤ２及び第３有機発光素子ＯＬＥＤ３は、それぞれ、第１画素電極２１１、第２画素電極２１２及び第３画素電極２１３と、第１中間層２２１、第２中間層２２２及び第３中間層２２３と、第１対向電極２３１、第２対向電極２３２及び第３対向電極２３３とを含む。第１有機発光素子ＯＬＥＤ１、第２有機発光素子ＯＬＥＤ２及び第３有機発光素子ＯＬＥＤ３は、それぞれ、第１パッシベーション層２４１、第２パッシベーション層２４２及び第３パッシベーション層２４３で覆われており、第１パッシベーション層２４１、第２パッシベーション層２４２及び第３パッシベーション層２４３は、酸化ケイ素（ＳｉＯｘ）、窒化ケイ素（ＳｉＮｘ）及び／または酸窒化ケイ素（ＳｉＯＮ）といった無機絶縁物を含んだ単一層または積層膜によって形成されてもよい。
【０１２５】
ディスプレイ装置３の基板１００と、第１有機発光素子ＯＬＥＤ１，第２有機発光素子ＯＬＥＤ２及び第３有機発光素子ＯＬＥＤ３は、先に図３及び図４を参照して説明し、回路素子層１１０は、図７Ａないし図７Ｂを参照して説明したので、以下では、相違点を中心に説明する。
【０１２６】
配線層１３０Ｂは、非画素領域ＮＰＡにて画素画成膜１２０上に配置されるが、配線層１３０Ｂの一部は、第１パッシベーション層２４１、第２パッシベーション層２４２及び第３パッシベーション層２４３の上にまで延長される。配線層１３０Ｂの一部は、第１対向電極２３１、第２対向電極２３２及び第３対向電極２３３と重なり、第１パッシベーション層２４１、第２パッシベーション層２４２及び第３パッシベーション層２４３のコンタクトホール２４０ｈを通じて、第１対向電極２３１、第２対向電極２３２及び第３対向電極２３３と接触することができる。例えば、配線層１３０Ｂは、コンタクトホール２４０ｈを通じて、第１対向電極２３１、第２対向電極２３２及び第３対向電極２３３の上面と、直接接触することができる。
【０１２７】
図１１及び図１２に図示されているように、コンタクトホール２４０ｈは、第１対向電極２３１、第２対向電極２３２及び第３対向電極２３３の一方の端部の中心領域に対応して備えられうる。例えば、コンタクトホール２４０ｈは、画素画成膜１２０が具備された非画素領域ＮＰＡ中にて、第１対向電極２３１、第２対向電極２３２及び第３対向電極２３３の端部を露出させるように配置されてもよい。
【０１２８】
配線層１３０Ｂは、第１対向電極２３１、第２対向電極２３２及び第３対向電極２３３と一部重なり、コンタクトホール２４０ｈを通じて、第１対向電極２３１、第２対向電極２３２及び第３対向電極２３３と、直接接触する。従って、互いに離隔された島状の、第１対向電極２３１、第２対向電極２３２及び第３対向電極２３３は、配線層１３０Ｂによって互いに電気的に連結され、共通電圧ＥＬＶＳＳを提供してもらうことができる。
【０１２９】
配線層１３０Ｂは、平面図上において、図１１に図示されているように、網の形態をなすようにパターニングされるか、あるいは図１２に図示されているように、ストライプの形態をなすようにパターニングされてもよいが、本発明は、それらに制限されるものではない。
【０１３０】
再び図１０を参照すれば、配線層１３０Ｂは、導電性材料を含む。
【０１３１】
一実施形態によれば、配線層１３０Ｂは、図１０中の左上の拡大部分に示されたように、第１金属層１３１及び第２金属層１３３、並びにそれら間の透光層１３２を含む積層構造でありうる。第１金属層１３１で反射した光Ｌ１と、第２金属層１３３で反射した光Ｌ２とは、互いに相殺する干渉によって、外部のユーザに視認されないので、外光の反射率を低下させることができる。第１金属層１３１及び第２金属層１３３は、モリブデン（Ｍｏ）、チタン（Ｔｉ）といった金属を含んでもよいが、本発明は、それらに制限されるものではない。透光層１３２は、酸化ケイ素（ＳｉＯｘ）といった透光性無機物または透明酸化物（ＴＣＯ）を含んでもよい。透光層１３２が酸化ケイ素（ＳｉＯｘ）といった絶縁性材料を含む場合、配線層１３０Ｂ中、第１金属層１３１が、実質的に共通電圧ＥＬＶＳＳを、第１対向電極２３１、第２対向電極２３２及び第３対向電極２３３に供給する配線としての機能を遂行することができる。
【０１３２】
他の実施形態によれば、配線層１３０Ｂは、金属によって形成された単一層の膜または積層膜であり得、または透明酸化物を含む単一層の膜または積層膜でありうる。
【０１３３】
配線層１３０Ｂは、第１パッシベーション層２４１、第２パッシベーション層２４２及び第３パッシベーション層２４３を形成した後に形成されるので、第１画素電極２１１、第２画素電極２１２及び第３画素電極２１３と、異なる材料を含むものでもよく、同一の材料を含むものでもよい。
【０１３４】
図１３Ａないし図１３Ｆは、図１０に示す本発明の他の実施形態（２）によるディスプレイ装置についての製造工程にのっとった一連の断面図である。
【０１３５】
図１３Ａを参照すれば、基板１００上に、回路素子層１１０、並びに第１画素電極２１１、第２画素電極２１２及び第３画素電極２１３を、順次に形成した後、第１画素電極２１１、第２画素電極２１２及び第３画素電極２１３を露出させる開口ＯＰ１を有する画素画成膜１２０を形成する。具体的な工程は、先に図８Ａを参照して説明したところと同一であるので、重複説明は省略する。
【０１３６】
図１３Ｂを参照すれば、第１画素領域ＰＡ１に対応する開口領域を具備する第１マスキング層１０１０を形成した後、順次に、第１中間層２２１、第１対向電極２３１及び第１パッシベーション層２４１を形成する。そして、リフトオフ工程によって、第１マスキング層１０１０を除去することにより、第１画素領域ＰＡ１に島型に配置された第１中間層２２１、第１対向電極２３１及び第１パッシベーション層２４１を形成する。
【０１３７】
第１マスキング層１０１０の物質及び構造、並びに第１中間層２２１、第１対向電極２３１及び第１パッシベーション層２４１の形成工程、リフトオフ工程などは、先に図８Ｃ及び図８Ｄを参照して説明したところと同一であるので、重複説明は省略する。
【０１３８】
図１３Ｃを参照すれば、第２画素領域ＰＡ２に対応する開口領域を具備する第２マスキング層１０２０を形成した後、順次に、第２中間層２２２、第２対向電極２３２及び第２パッシベーション層２４２を形成する。そして、リフトオフ工程によって、第２マスキング層１０２０を除去することにより、第２画素領域ＰＡ２に島状に配置された、第２中間層２２２、第２対向電極２３２及び第２パッシベーション層２４２を形成する。
【０１３９】
第２マスキング層１０２０の材料及び構造、並びに第２中間層２２２、第２対向電極２３２及び第２パッシベーション層２４２の形成工程、リフトオフ工程などは、先に図８Ｅ及び図８Ｆを参照して説明したところと同一であるので、重複説明は省略する。
【０１４０】
図１３Ｄを参照すれば、第３画素領域ＰＡ３に対応する開口領域を具備する第３マスキング層１０３０を形成した後、順次に、第３中間層２２３、第３対向電極２３３及び第３パッシベーション層２４３を形成する。そして、リフトオフ工程によって、第３マスキング層１０３０を除去することにより、第３画素領域ＰＡ３に島状に配置された、第３中間層２２３、第３対向電極２３３及び第３パッシベーション層２４３を形成する。
【０１４１】
第３マスキング層１０３０の材料及び構造、並びに第３中間層２２３、第３対向電極２３３及び第３パッシベーション層２４３の形成工程、リフトオフ工程などは、先に図８Ｇを参照して説明したところと同一であるので、重複説明は省略する。
【０１４２】
図１３Ｅを参照すれば、第１パッシベーション層２４１、第２パッシベーション層２４２及び第３パッシベーション層２４３に、コンタクトホール２４０ｈを形成する。コンタクトホール２４０ｈを通じて、第１対向電極２３１、第２対向電極２３２及び第３対向電極２３３が露出される。例えば、コンタクトホール２４０ｈは、非画素領域ＮＰＡにおいて、第１対向電極２３１、第２対向電極２３２及び第３対向電極２３３の端部を露出させるように、第１対向電極２３１、第２対向電極２３２及び第３対向電極２３３の端と対応する位置に形成されてもよい。
【０１４３】
図１３Ｆを参照すれば、導電物質層（図示せず）を形成し、それをパターニングし、配線層１３０Ｂを形成する。配線層１３０Ｂは、フォトリソグラフィ工程、及び湿式または乾式のエッチング工程により、形成されてもよい。配線層１３０Ｂは、コンタクトホール２４０ｈを通じて、第１対向電極２３１、第２対向電極２３２及び第３対向電極２３３に、それぞれ接触することができる。
【０１４４】
前述のように、配線層１３０Ｂは、第１パッシベーション層２４１、第２パッシベーション層２４２及び第３パッシベーション層２４３を形成した工程の後に形成されるので、配線層１３０Ｂは、先に図９を参照して説明した配線層１３０Ａと異なり、材料の制限なしに多様に選択されてもよい。
【０１４５】
図１４は、本発明の他の実施形態（３）によるディスプレイ装置の断面図である。
【０１４６】
図１４を参照すれば、ディスプレイ装置４は、基板１００、画素回路ＰＣを含む回路素子層１１０、第１有機発光素子ＯＬＥＤ１、第２有機発光素子ＯＬＥＤ２及び第３有機発光素子ＯＬＥＤ３、並びに第１パッシベーション層２４１、第２パッシベーション層２４２及び第３パッシベーション層２４３と、配線層１３０Ｃとを含む。基板１００と回路素子層１１０は、前述のところと同一であるので、以下、相違点を中心に説明する。
【０１４７】
配線層１３０Ｃは、非画素領域ＮＰＡに配置され、第１画素電極２１１、第２画素電極２１２及び第３画素電極２１３と同一層に配置されてもよい。同一層に配置されるということは、すぐ下の層と、すぐ上の層とが同一であるということを意味する。例えば、配線層１３０Ｃ、並びに第１画素電極２１１、第２画素電極２１２及び第３画素電極２１３は、回路素子層１１０と画素画成膜１２０との間に、それらと接触したまま配置されてもよい。配線層１３０Ｃは、第１画素電極２１１、第２画素電極２１２及び第３画素電極２１３と同一の材料を含むものでありうる。
【０１４８】
画素画成膜１２０は、第１画素電極２１１、第２画素電極２１２及び第３画素電極２１３の端部、並びに配線層１３０Ｃの端部を覆うことで、この端部と直接接触することができる。画素画成膜１２０は、第１画素電極２１１、第２画素電極２１２及び第３画素電極２１３を露出させる開口ＯＰ１、並びに配線層１３０Ｃを露出させる追加の開口ＯＰ２をさらに含んでもよい。
【０１４９】
第１中間層２２１、第２中間層２２２及び第３中間層２２３は、それぞれ、開口ＯＰ１を通じて露出された、第１画素電極２１１、第２画素電極２１２及び第３画素電極２１３の上に配置され、第１対向電極２３１、第２対向電極２３２及び第３対向電極２３３は、それぞれ、第１中間層２２１、第２中間層２２２及び第３中間層２２３より広い幅を有するように配置される。
【０１５０】
第１対向電極２３１、第２対向電極２３２及び第３対向電極２３３は、それぞれ、第１画素電極２１１、第２画素電極２１２及び第３画素電極２１３に隣接した箇所の配線層１３０Ｃに向かって（各画素の外側へと）延長され、追加の開口ＯＰ２を通じて露出された配線層１３０Ｃの少なくとも一部と、重なることで直接接触する。例えば、第１対向電極２３１、第２対向電極２３２及び第３対向電極２３３のそれぞれの端部は、配線層１３０Ｃとの間に配置された画素画成膜１２０の一部を覆うとともに、配線層１３０Ｃに向かって延長されて、配線層と接触することができる。
【０１５１】
図１４には、第１対向電極２３１、第２対向電極２３２及び第３対向電極２３３のそれぞれが、配線層１３０Ｃと、一部重なることで接触する構造を図示しているが、他の実施形態において、第１対向電極２３１、第２対向電極２３２及び第３対向電極２３３のそれぞれは、配線層１３０Ｃにおける追加の開口ＯＰ２を通じて露出された部分に、その全体を覆うように重ねられることで、直接接触することができる。
【０１５２】
図示の例において、追加の開口ＯＰ２は、隣り合う２つの画素開口ＯＰ１の間に２つ設けられ、それぞれ、近接する方の画素開口ＯＰ１を覆う対向電極２３１〜２３３に直接重ね合わされて接触している。これら追加の画素開口ＯＰ２は、例えば、隣り合う２つの画素開口ＯＰ１の間の領域にのみ設けることもでき、また、例えば、図１４の積層断面に垂直な方向にわたって連続して延びるように設けることもできる。このように、配線層１３０は、各画素開口ＯＰ１の左右両側から対向電極２３１〜２３３に電気的に接続されて、対向電極同士を、図１４の積層断面に垂直な方向に互いに電気的に接続する。また、図示の例において、画素画成膜１２０は、図３に示す実施形態と同様に、この積層断面にて、紡糸湾曲した膨出状、特には円弧状または楕円弧状に膨出している。図１４に示す実施形態では、図３に示す実施形態と比べた場合、画素画成膜１２０における、隣り合う２つの画素開口ＯＰ１の間の膨出部が、３つの小さな膨出部と、これらの間の追加の開口ＯＰ２とに置き換わっており、これら小さな膨出部は互いに寸法が等しくともよく、追加の開口ＯＰ２も互いに寸法が等しいともよい。
【０１５３】
第１パッシベーション層２４１、第２パッシベーション層２４２及び第３パッシベーション層２４３は、それぞれ、第１対向電極２３１、第２対向電極２３２及び第３対向電極２３３を覆う。図示の積層断面において、第１パッシベーション層２４１、第２パッシベーション層２４２及び第３パッシベーション層２４３は、第１対向電極２３１、第２対向電極２３２及び第３対向電極２３３の幅よりも広幅に形成される。例えば、第１パッシベーション層２４１、第２パッシベーション層２４２及び第３パッシベーション層２４３の端部は、それぞれ、第１対向電極２３１、第２対向電極２３２及び第３対向電極２３３の端部よりも、各画素の外側へと延長されうる。
【０１５４】
図示されていないが、配線層１３０Ｃは、前述のように、平面図上で網状をなすか、あるいはストライプ状をなすというように多様なパターンを有する。
【０１５５】
図１５Ａないし図１５Ｅは、図１４に示す本発明の他の実施形態（３）によるディスプレイ装置についての製造工程にのっとった一連の断面図である。
【０１５６】
図１５Ａを参照すれば、基板１００上に回路素子層１１０を形成した後、回路素子層１１０上に、第１画素電極２１１、第２画素電極２１２及び第３画素電極２１３と、配線層１３０Ｃとを形成する。第１画素電極２１１、第２画素電極２１２及び第３画素電極２１３は、第１画素領域ＰＡ１、第２画素領域ＰＡ２及び第３画素領域ＰＡ３に、それぞれ対応するように形成され、配線層１３０Ｃは、非画素領域ＮＰＡに対応するように形成される。例えば、回路素子層１１０上に予備画素電極層（図示せず）を形成した後、それをパターニングし、第１画素電極２１１、第２画素電極２１２及び第３画素電極２１３、並びに配線層１３０Ｃを形成することができる。第１画素電極２１１、第２画素電極２１２及び第３画素電極２１３の材料は、先に図３を参照して説明したところと同一であり、配線層１３０Ｃは、第１画素電極２１１、第２画素電極２１２及び第３画素電極２１３と同一の材料を有する。
【０１５７】
その後、絶縁物質層（図示せず）を形成した後、それをパターニングし、第１画素電極２１１、第２画素電極２１２及び第３画素電極２１３それぞれを露出させる開口ＯＰ１、及び、配線層１３０Ｃを露出させる追加の開口ＯＰ２を有する、画素画成膜１２０を形成する。画素画成膜１２０をなす絶縁材料は、有機物でありうる。他の実施形態において、画素画成膜１２０をなす絶縁材料は、無機物を含む、複数の層からなる積層膜、または複合材料による単層膜でありうる。
【０１５８】
図１５Ｂを参照すれば、第１画素領域ＰＡ１に対応する部分、及び第１画素領域ＰＡ１に隣接した非画素領域ＮＰＡの一部（例えば、配線層１３０Ｃの一部と対応する部分）が開放された第１マスキング層１０１０を形成する。第１マスキング層１０１０は、第１感光パターン層１２１０、及び、第１感光パターン層１２１０と画素画成膜１２０との間の第１補助層１１１０を含んでもよい。第１マスキング層１０１０の開放領域を介して、第１画素電極２１１及び第１画素電極２１１に隣接した配線層１３０Ｃが露出される。第１マスキング層１０１０の構造、材料、形成工程は、先に図３を参照して説明したので、重複説明は省略する。
【０１５９】
次に、第１マスキング層１０１０が形成された基板１００上に、順に、第１中間層２２１、第１対向電極２３１及び第１パッシベーション層２４１を形成する。
【０１６０】
第１中間層２２１と第１対向電極２３１との蒸着材料が、基板１００に垂直の方向及び斜めの方向に沿って、基板１００に向かって移動することで、第１中間層２２１の端部、及び第１対向電極２３１の端部は、第１補助層１１１０と接触しないようにしつつ、第１感光パターン層１２１０の端部の庇（ひさし；overhang）状部分の下の空間内にまで延長される。第１中間層２２１は、開口ＯＰ１を通じて露出された第１画素電極２１１の上に形成され、第１対向電極２３１は、第１中間層２２１の幅よりさらに広い幅を有するように形成される。第１対向電極２３１の端部は、第１中間層２２１の端部よりさらに、各画素の外側へと延長され、配線層１３０Ｃと、少なくとも一部が重なることで直接接触する。第１パッシベーション層２４１は、第１対向電極２３１の全体を覆うように形成され、図示のような積層断面図にて、第１対向電極２３１より広い幅を有するように形成される。
【０１６１】
その後、リフトオフ工程により、第１マスキング層１０１０を除去する。第１画素領域ＰＡ１には、第１中間層２２１、第１対向電極２３１及び第１パッシベーション層２４１が配置され、第１対向電極２３１の端部は、配線層１３０Ｃと、一部重なることで直接接触する。
【０１６２】
図１５Ｃを参照すれば、第２マスキング層１０２０を形成する。第２マスキング層１０２０は、第２画素領域ＰＡ２に対応する部分と、第２画素領域ＰＡ２に隣接した非画素領域ＮＰＡの一部（例えば、配線層１３０Ｃの一部に対応する部分）とが開放された開口領域を含む。第２マスキング層１０２０の開放領域を通じて、第２画素電極２１２、及び、第２画素電極２１２に隣接した配線層１３０Ｃが露出される。第２マスキング層１０２０の構造、材料、形成工程は、先に図３を参照して説明したので、重複説明は省略する。
【０１６３】
次に、第２マスキング層１０２０が形成された基板１００上に、順に、第２中間層２２２、第２対向電極２３２及び第２パッシベーション層２４２を形成する。
【０１６４】
第２中間層２２２は、開口ＯＰ１を通じて露出された第２画素電極２１２の上に形成され、第２対向電極２３２は、第２中間層２２２の幅よりさらに広い幅を有するように形成される。第２対向電極２３２の端部は、第２中間層２２２の端部よりさらに、各画素の外側へと延長され、配線層１３０Ｃに、少なくとも一部が重なることで直接接触する。第２パッシベーション層２４２は、第２対向電極２３２の全体を覆うように形成され、第２対向電極２３２より広い幅を有するように形成される。
【０１６５】
その後、リフトオフ工程により、第２マスキング層１０２０を除去する。第２画素領域ＰＡ２には、第２中間層２２２、第２対向電極２３２及び第２パッシベーション層２４２が配置され、第２対向電極２３２の端部は、配線層１３０Ｃに、一部重なることで直接接触する。
【０１６６】
図１５Ｄを参照すれば、第３マスキング層１０３０を形成する。第３マスキング層１０３０は、第３画素領域ＰＡ３に対応する部分と、第３画素領域ＰＡ３に隣接した非画素領域ＮＰＡの一部（例えば、配線層１３０Ｃの一部と対応する部分）とが開放された開口領域を含む。第３マスキング層１０３０の開放領域を通じて、第３画素電極２１３、及び、この第３画素電極２１３に隣接した配線層１３０Ｃが露出される。第３マスキング層１０３０の構造、材料、形成工程は、先に図３を参照して説明したので、重複説明は省略する。
【０１６７】
次に、第３マスキング層１０３０が形成された基板１００上に、順に、第３中間層２２３、第３対向電極２３３及び第３パッシベーション層２４３を形成する。
【０１６８】
第３中間層２２３は、開口ＯＰ１を通じて露出された第３画素電極２１３の上に形成され、第３対向電極２３３は、第３中間層２２３の幅よりさらに広い幅を有するように形成される。第３対向電極２３３の端部は、第３中間層２２３の端部よりさらに、各画素の外側へと延長され、配線層１３０Ｃに、少なくとも一部が重なってて直接接触する。第３パッシベーション層２４３は、第３対向電極２３３を覆うように形成され、第３対向電極２３３より広い幅を有するように形成される。
【０１６９】
その後、リフトオフ工程により、第３マスキング層１０３０を除去する。第３画素領域ＰＡ３には、第３中間層２２３、第３対向電極２３３及び第３パッシベーション層２４３が配置され、第３対向電極２３３の端部は、配線層１３０Ｃに、一部重なることで直接接触する。
【０１７０】
図１５Ｅを参照すれば、前述のような工程により、第１画素領域ＰＡ１、第２画素領域ＰＡ２及び第３画素領域ＰＡ３における第１対向電極２３１、第２対向電極２３２及び第３対向電極２３３は、配線層１３０Ｃに、一部重なることで直接接触し、互いに電気的に連結されて、同一共通電圧ＥＬＶＳＳを提供してもらっている。
【０１７１】
図１６及び図１７は、本発明の他の実施形態（４）〜（５）によるディスプレイ装置の断面図であり、図１５の変形例に該当する。
【０１７２】
図１６及び図１７のディスプレイ装置５，６は、配線層１３０Ｄ，１３０Ｅを中心にした構造に相違があり、他の構成は同一であるので、以下、相違点を中心に説明する。
【０１７３】
図１６を参照すれば、１つの追加の開口ＯＰ２を通じて露出された配線層１３０Ｄの上面は、隣接するいずれの画素の対向電極とも接触することができる。例えば、いずれか１つの追加の開口ＯＰ２を通じて露出された配線層１３０Ｄの上面は、第１対向電極２３１及び第２対向電極２３２の一部に、重なることで直接接触することができ、他の１つの追加の開口ＯＰ２を通じて露出された配線層１３０Ｄの上面は、第２対向電極２３２及び第３対向電極２３３の一部に、重なることで直接接触することができる。
【０１７４】
図１７を参照すれば、１つの追加の開口ＯＰ２を通じて露出された配線層１３０Ｄの上面は、隣接する１つの画素の対向電極と接触することができる。例えば、いずれか１つの追加開口ＯＰ２を通じて露出された配線層１３０Ｄの上面は、第１対向電極２３１の少なくとも一部に、重なることで直接接触することができ、他の１つの追加開口ＯＰ２を介して露出された配線層１３０Ｄの上面は、第２対向電極２３２の少なくとも一部に、重なることで直接接触することができる。そして、さらに他の１つの追加開口ＯＰ２を通じて露出された配線層１３０Ｄの上面は、第３対向電極２３３の少なくとも一部に、重なることで直接接触することができる。
【０１７５】
以上、本発明は、、図面に図示された一実施形態を参照して説明したが、それらは例示的なものに過ぎず、当該分野で当業者であるならば、それらから多様な変形、及び実施形態の変形が可能であるという点を理解するであろう。従って、本発明の真の技術的保護範囲は、特許請求の範囲の技術的思想によって決められるものである。
【産業上の利用可能性】
【０１７６】
本発明のディスプレイ装置は、例えば、ディスプレイ関連の技術分野に効果的に適用可能である。
【符号の説明】
【０１７７】
１００    基板
１１０    回路素子層
１２０    画素画成膜
１３０，１３０Ａ，１３０Ｂ，１３０Ｃ，１３０Ｄ，１３０Ｅ    配線層
２１１，２１２，２１３    画素電極
２２１，２２２，２２３    中間層
２３１，２３２，２３３    対向電極
２４１，２４２，２４３    パッシベーション層
【図１】
2018081916.tif 000003
【図２Ａ】
2018081916.tif 000004
【図２Ｂ】
2018081916.tif 000005
【図３】
2018081916.tif 000006
【図４】
2018081916.tif 000007
【図５】
2018081916.tif 000008
【図６】
2018081916.tif 000009
【図７Ａ】
2018081916.tif 000010
【図７Ｂ】
2018081916.tif 000011
【図８Ａ】
2018081916.tif 000012
【図８Ｂ】
2018081916.tif 000013
【図８Ｃ】
2018081916.tif 000014
【図８Ｄ】
2018081916.tif 000015
【図８Ｅ】
2018081916.tif 000016
【図８Ｆ】
2018081916.tif 000017
【図８Ｇ】
2018081916.tif 000018
【図８Ｈ】
2018081916.tif 000019
【図９】
2018081916.tif 000020
【図１０】
2018081916.tif 000021
【図１１】
2018081916.tif 000022
【図１２】
2018081916.tif 000023
【図１３Ａ】
2018081916.tif 000024
【図１３Ｂ】
2018081916.tif 000025
【図１３Ｃ】
2018081916.tif 000026
【図１３Ｄ】
2018081916.tif 000027
【図１３Ｅ】
2018081916.tif 000028
【図１３Ｆ】
2018081916.tif 000029
【図１４】
2018081916.tif 000030
【図１５Ａ】
2018081916.tif 000031
【図１５Ｂ】
2018081916.tif 000032
【図１５Ｃ】
2018081916.tif 000033
【図１５Ｄ】
2018081916.tif 000034
【図１５Ｅ】
2018081916.tif 000035
【図１６】
2018081916.tif 000036
【図１７】
2018081916.tif 000037